(57)【要約】【課題】トリップ動作電流感度を調整できる手段を二重化して、調整手段の製造時、製造偏差による不良発生を最小化でき、簡便な調整が可能な熱動形過負荷トリップ装置を提供する。【解決手段】熱動形過負荷トリップ装置は、回路の過負荷が発生すると、シフター機構の駆動力によりトリップ位置に反転するように駆動されるトリップ機構と、回路の過負荷が発生すると、前記シフター機構の駆動力がある場合は前記トリップ機構を加圧してトリップ位置に反転するように駆動し、前記シフター機構の駆動力がない場合は前記トリップ機構を解除する解除レバー機構と、回転により前記解除レバー機構が水平移動するように駆動する調整レバーと、上部面には設定操作溝が備えられ、下部にはカム部が備えられる調整ノブと、前記調整ノブの操作と関係なく独立してトリップ動作電流の感度を調整する手段とから構成される。【選択図】図１
2009043726.tif 000002
【特許請求の範囲】
【請求項１】
回路の過負荷に応じて機械的変位を提供するバイメタルと、前記バイメタルの機械的変位を駆動力として伝達するためのシフター機構と、を備える熱動形過負荷トリップ装置において、
回路の過負荷が発生すると、前記シフター機構の駆動力によりトリップ位置に反転するように駆動されるトリップ機構と、
一部分は前記シフター機構の駆動力を受けることができるように前記シフター機構との接触位置に回動可能に設置され、他部分は前記トリップ機構に接触して設置され、回路の過負荷が発生すると、前記シフター機構の駆動力がある場合は前記トリップ機構を加圧してトリップ位置に反転するように駆動し、前記シフター機構の駆動力がない場合は前記トリップ機構を解除する解除レバー機構と、
前記解除レバー機構を回転可能に支持する部分を有し、回転により前記解除レバー機構が水平移動するように駆動する調整レバーと、
定格電流によるトリップ動作位置を回転操作で設定し、上部面には設定操作溝が備えられ、下部にはカム部が備えられる調整ノブと、
前記調整レバーを回動できるように前記調整レバーに接続され、前記調整ノブの操作と関係なく独立してトリップ動作電流の感度を調整する手段と、
から構成されることを特徴とする熱動形過負荷トリップ装置。
【請求項２】
前記調整ノブの操作と関係なく独立してトリップ動作電流の感度を調整する手段は、
前記調整レバーに螺合されて前記調整レバーを回動できるように設置され、前記調整ノブの操作と関係なく独立して前記調整レバーで前記解除レバー機構の回転角度を調整することにより、トリップ動作電流の感度を調整できる調整ネジであることを特徴とする請求項１に記載の熱動形過負荷トリップ装置。
【請求項３】
前記解除レバー機構は、
一端が前記調整レバーに回転可能に支持され、他端が前記トリップ機構に接触するように備えられる解除レバーと、
一端が前記解除レバーに固定され、他端が前記シフター機構に接触するように備えられる動力伝達板と、を含むことを特徴とする請求項１に記載の熱動形過負荷トリップ装置。
【請求項４】
前記解除レバー機構を回転可能に支持する前記調整レバーの部分は、
前記調整レバーから水平方向に延長する部分と、
前記水平方向に延長する部分に接続されるか、一体に設けられる回転軸部と、を含むことを特徴とする請求項１に記載の熱動形過負荷トリップ装置。
【請求項５】
回路の過負荷によって機械的変位を提供するバイメタルと、前記バイメタルの機械的変位を駆動力として伝達するためのシフター機構と、回路の過負荷が発生すると、前記シフター機構の駆動力によりトリップ位置に反転するように駆動されるトリップ機構と、一部分は前記シフター機構の駆動力を受けることができるように前記シフター機構との接触位置に回動可能に設置され、他部分は前記トリップ機構に接触して設置され、回路の過負荷が発生すると、前記シフター機構の駆動力がある場合は前記トリップ機構を加圧してトリップ位置に反転するように駆動し、前記シフター機構の駆動力がない場合は前記トリップ機構を解除する解除レバー機構と、前記解除レバー機構を回転可能に支持する部分を有し、回転により前記解除レバー機構が水平移動するように駆動する調整レバーと、定格電流によるトリップ動作位置を回転操作で設定し、上部面には設定操作溝が備えられ、下部にはカム部が備えられる調整ノブと、前記調整レバーを回動できるように前記調整レバーに接続され、前記調整ノブの操作と関係なく独立してトリップ動作電流の感度を調整する調整ネジとを備える熱動形過負荷トリップ装置のトリップ感度調整方法において、
前記調整ノブの初期位置を設定する調整ノブの初期位置の設定段階と、
前記熱動形過負荷トリップ装置を形成するために、前記熱動形過負荷トリップ装置を構成する構成部品を組み立てる組み立て段階と、
前記組み立て段階で組み立てられた前記熱動形過負荷トリップ装置に予め決定された時間の間予め決定された過電流を通電させる過電流通電段階と、
前記調整ノブの初期設定位置を維持した状態で、前記調整ネジをトリップが発生するまで回転させる調整ネジ調整段階と
から構成されることを特徴とする熱動形過負荷トリップ装置のトリップ感度調整方法。
【請求項６】
前記調整ノブの周囲に定格電流をマーキングする定格電流マーキング段階をさらに含むことを特徴とする請求項５に記載の熱動形過負荷トリップ装置のトリップ感度調整方法。
【請求項７】
前記定格電流マーキング段階は、
前記調整ノブの周囲部分に定格電流を直接マーキングする段階であることを特徴とする請求項６に記載の熱動形過負荷トリップ装置のトリップ感度調整方法。
【請求項８】
前記定格電流マーキング段階は、
前記調整ノブの周囲部分に目盛り部材を設置し、前記設置された目盛り部材上に定格電流をマーキングする段階であることを特徴とする請求項６に記載の熱動形過負荷トリップ装置のトリップ感度調整方法。
【発明の詳細な説明】
【技術分野】
【０００１】
本発明は、電動機及び電気的負荷機器を保護する熱動形過負荷継電器（Thermal Overload Relay）又はマニュアルモータスタータ（Manual Motor Starter）などの電気機器に適用できる熱動形過負荷トリップ装置に関し、特に、調整ネジを利用して調整ノブを操作しなくても効率的にトリップ装置の感度調整ができる熱動形過負荷トリップ装置及びそのトリップ感度調整方法に関する。
【背景技術】
【０００２】
熱動形過負荷トリップ装置の基本機能である過負荷保護機能は、電気的回路に過負荷又は過電流が発生すると、該当過負荷又は過電流が予め設定されたトリップ動作条件を満たす電流範囲に属するときにトリップ動作を行う。このような電流範囲は、国際的な電気規格で定められたＩＥＣ（International Electrotechnical Commission）規格に準拠したトリップ動作電流範囲であり、例えば、定格電流の１．２倍の電流が回路に通電すると２時間以内にトリップ動作をしなければならず、定格電流の１．０５倍の電流が通電すると２時間以上数時間以内にトリップ動作をしなければならないなどのトリップ動作条件である。
【０００３】
熱動形過負荷（過電流）トリップ装置は、一般的に回路に接続されて過電流発生時に発熱するヒータコイルと、前記ヒータコイルが巻かれ、前記ヒータコイルが発熱すると、湾曲してトリップのための駆動力を提供するバイメタルとを駆動アクチュエータとして備える。以下、このようなバイメタルを利用する熱動形過負荷トリップ装置の一例を図５及び図６を参照して説明する。
【０００４】
図５は、従来の熱動形過負荷トリップ装置の構成を示す図であり、図６は、従来の熱動形過負荷トリップ装置の調整カムとトリップ感度調整範囲との関係を説明するための図である。
【０００５】
図５において、符号１はバイメタルである。バイメタル１は、３相交流の各相回路に接続されるように３つ備えられ、前述したように、過電流発生時に発熱するヒータコイル（図示せず）からの熱によって湾曲してトリップのための駆動力を提供する。符号２はシフター機構である。シフター機構２は、バイメタル１からのトリップのための駆動力を伝達する手段であり、湾曲によるバイメタル１からの駆動力を受けるためにバイメタル１と両方向に接触し、図の水平方向に移動できる。図５において、符号３は、トリップ機構であり、スプリング（符号なし）によりトリップ時の動作方向に回動するように付勢される。図５において、符号４は、トリップ機構３をトリップ時の動作方向に回転するように解除するか、又はトリップ時の動作方向に回転できないように拘束するラッチ機構である。ラッチ機構４の一端部は、前記シフター機構２からの駆動力を受けるためにシフター機構２の動力伝達部分に対向して設置され、他端部は前記トリップ機構３を拘束又は解除できるようにトリップ機構３の回動軌跡上に位置し、中間部は回転軸（符号なし）によって回動可能に支持される。符号６は、前記拘束位置におけるトリップ機構３とラッチ機構４との接触点である。図５において、ラッチ機構４の一部分の接触位置には、ラッチ機構４に接触し、その接触圧力を変化させることにより、前記ラッチ機構４がシフター機構２に近づく位置又はシフター機構２から遠ざかる位置に変位させる調整ノブ機構５が回転可能に備えられる。ここで、調整ノブ機構５は、外周の曲率半径が変化するカム部９と、カム部９を回転駆動できるようにカム部９に結合されるか、又はカム部９から一体に延設される調整ノブとを含む。図５において、符号ｙは、バイメタル湾曲変位（湾曲量）であり、回路の予め設定された過電流通電時にバイメタル１が湾曲する予め設定された変位量（距離）を示す。また、符号Δｙは、トリップ動作余裕であり、予め設定された過電流発生時にバイメタル１の予め設定された湾曲量ｙだけシフター機構２が移動したときのシフター機構２とラッチ機構４との予め設定された間隔である。さらに、トリップ動作余裕（Δｙ）は、調整ノブ機構５により調整できる。
【０００６】
以下、図６を参照して従来の調整ノブ機構５に含まれるカム部９の構成を詳細に説明する。
【０００７】
図６の符号ａは、カム調整可能範囲であり、最大トリップ動作鈍感調整位置１２と最大トリップ動作敏感調整位置１３の角度を示す。しかしながら、従来の熱動形過負荷トリップ装置は、製造者が装置を製造するとき、図５の調整ノブ１０を回転操作してカム部９の初期位置（すなわち、カム部初期設定位置１１）を調整しておくため、実質的に使用者がカム部９の回転角度を調整できる範囲は、実質カム調整可能範囲ｂとなる。図６において、符号ｃは、初期設定カム操作範囲である。
【０００８】
以下、前述したように構成される従来の熱動形過負荷トリップ装置の動作について説明する。
【０００９】
まず、トリップ動作について説明する。回路の過電流によりヒータコイル（図示せず）が発熱すると、バイメタル１が湾曲して図の右側に移動する。従って、湾曲量ｙにトリップ動作余裕（Δｙ）を加算した値以上に湾曲したバイメタル１の駆動力により、シフター機構２も湾曲量ｙにトリップ動作余裕（Δｙ）を加算した値だけ図５の右側、すなわち、過電流発生時のシフター機構動作方向７に移動し、それにより、ラッチ機構４が右側に加圧されて図の反時計方向に回転する。そうすると、ラッチ機構４で拘束されていたトリップ機構３が解除されてスプリング（符号なし）の弾性力によりトリップ方向、すなわち、図の反時計方向に回動し、後続開閉機構（図示せず）がトリップ（回路開放）位置に動作して回路がトリップ（遮断）されることにより、回路及び負荷機器が保護される。
【００１０】
次に、トリップ動作の感度調整動作を図５及び図６を参照して説明する。
【００１１】
図６において、製造者がカム部初期設定位置１１のようにカム部９の初期位置を調整した状態で、図５において、使用者がカム部９を反時計方向に回転させると、ラッチ機構４が回転軸（符号なし）を中心に時計方向、すなわち、トリップ動作感度敏感調整方向８に回転し、これにより、トリップ動作余裕（Δｙ）が減少し、過電流に対する装置のトリップ動作感度が敏感になる。
【発明の開示】
【発明が解決しようとする課題】
【００１２】
前述したような従来の熱動形過負荷トリップ装置は、トリップ動作の感度調整がカム部及びラッチ機構のみにより行われる構成であるため、カム部とラッチ機構間の相対設置位置と動力伝達構造、及びラッチ機構とシフター機構間の相対位置と動力伝達構造を正確に把握し、それに応じて設置することは困難である。従って、従来の熱動形過負荷トリップ装置を製造するときに、トリップ動作余裕がなくなったり、カム部を最大敏感位置に回転してもトリップが行われないなどの製造不良を発生するという問題があった。
【００１３】
また、このような製造不良が発生すると、従来の熱動形過負荷トリップ装置は、製品を分解して部品間の相対位置及び動力伝達構造を再び調整して設置する必要があるので、製造生産性が低下するという問題があった。
【００１４】
従って、本発明は、前述したような従来技術の問題を解決するために提案されたものであり、本発明の目的は、トリップ動作感度調整の不良が発生しても、部品の分解及び再組立を必要とせずに簡単にトリップ動作感度を調整できる熱動形過負荷トリップ装置を提供することにある。
【００１５】
また、本発明の目的は、トリップ動作感度調整の不良が発生しても、部品の分解及び再組立を必要とせずに簡単にトリップ動作感度を調整できる熱動形過負荷トリップ装置のトリップ感度調整方法を提供することにある。
【課題を解決するための手段】
【００１６】
このような目的を達成するために、本発明による熱動形過負荷トリップ装置は、回路の過負荷に応じて機械的変位を提供するバイメタルと、前記バイメタルの機械的変位を駆動力として伝達するためのシフター機構とを備える熱動形過負荷トリップ装置において、回路の過負荷が発生すると、前記シフター機構の駆動力によりトリップ位置に反転するように駆動されるトリップ機構と、一部分は前記シフター機構の駆動力を受けることができるように前記シフター機構との接触位置に回動可能に設置され、他部分は前記トリップ機構に接触して設置され、回路の過負荷が発生すると、前記シフター機構の駆動力がある場合は前記トリップ機構を加圧してトリップ位置に反転するように駆動し、前記シフター機構の駆動力がない場合は前記トリップ機構を解除する解除レバー機構と、前記解除レバー機構を回転可能に支持する部分を有し、回転により前記解除レバー機構が水平移動するように駆動する調整レバーと、定格電流によるトリップ動作位置を回転操作で設定し、上部面には設定操作溝が備えられ、下部にはカム部が備えられる調整ノブと、前記調整レバーを回動できるように前記調整レバーに接続され、前記調整ノブの操作と関係なく独立してトリップ動作電流の感度を調整する手段とから構成される。
【００１７】
さらに、このような目的を達成するために、本発明による熱動形過負荷トリップ装置のトリップ感度調整方法は、回路の過負荷によって機械的変位を提供するバイメタルと、前記バイメタルの機械的変位を駆動力として伝達するためのシフター機構と、回路の過負荷が発生すると、前記シフター機構の駆動力によりトリップ位置に反転するように駆動されるトリップ機構と、一部分は前記シフター機構の駆動力を受けることができるように前記シフター機構との接触位置に回動可能に設置され、他部分は前記トリップ機構に接触して設置され、回路の過負荷が発生すると、前記シフター機構の駆動力がある場合は前記トリップ機構を加圧してトリップ位置に反転するように駆動し、前記シフター機構の駆動力がない場合は前記トリップ機構を解除する解除レバー機構と、前記解除レバー機構を回転可能に支持する部分を有し、回転により前記解除レバー機構が水平移動するように駆動する調整レバーと、定格電流によるトリップ動作位置を回転操作で設定し、上部面には設定操作溝が備えられ、下部にはカム部が備えられる調整ノブと、前記調整レバーを回動できるように前記調整レバーに接続され、前記調整ノブの操作と関係なく独立してトリップ動作電流の感度を調整する調整ネジとを備える熱動形過負荷トリップ装置のトリップ感度調整方法において、前記調整ノブの初期位置を設定する調整ノブの初期位置の設定段階と、前記熱動形過負荷トリップ装置を形成するために、前記熱動形過負荷トリップ装置を構成する構成部品を組み立てる組み立て段階と、前記組み立て段階で組み立てられた前記熱動形過負荷トリップ装置に予め決定された時間の間予め決定された過電流を通電させる過電流通電段階と、前記調整ノブの初期設定位置を維持した状態で、前記調整ネジをトリップが発生するまで回転させる調整ネジ調整段階とから構成される。
【発明の効果】
【００１８】
本発明による熱動形過負荷トリップ装置及びトリップ感度調整方法を提供することにより、トリップ動作感度調整の不良が発生しても部品の分解及び再組立を必要とせずに簡単にトリップ動作の感度調整ができるという効果がある。
【００１９】
また、本発明による熱動形過負荷トリップ装置は、カム部と関係なく独立してトリップ動作電流の感度調整ができる手段を含むことにより、調整ノブを操作しなくてもトリップ動作電流の感度調整ができるという効果がある。
【発明を実施するための最良の形態】
【００２０】
本発明の目的及びこれを達成するための本発明の構成及びその作用効果は、添付図面を参照した本発明の好ましい実施形態に関する以下の詳細な説明により明確に理解できるであろう。
【００２１】
図１は、本発明による熱動形過負荷トリップ装置の構成を示す図であり、図２は、本発明による熱動形過負荷トリップ装置の調整カムとトリップ感度の範囲調整のための調整ネジとの関係を部分的に示す平面図である。
【００２２】
図１及び図２に示すように、本発明による熱動形過負荷トリップ装置は、回路の過負荷に応じて機械的変位を提供するバイメタル１４を含む。バイメタル１４には過電流発生時に発熱するヒータコイル（図示せず）が巻かれ、前記ヒータコイルが発熱すると、バイメタル１４が湾曲してトリップのための駆動力を提供する。好ましくは、従来と同様に、バイメタル１４は、３相交流の各相回路に接続されるように３つ備えられる。
【００２３】
図１において、符号１５は、バイメタル１４の機械的変位を駆動力として伝達するためのシフター機構である。シフター機構１５は、バイメタル１４の湾曲による加圧力により水平方向に移動できる上部及び下部シフター板（符号なし）と、前記上部及び下部シフター板に回転可能に支持されて、上部シフター板が右側に移動して下部シフター板が左側に移動すると時計方向に回転し、上部シフター板が左側に移動して下部シフター板が右側に移動すると反時計方向に回転する回転レバー（符号なし）とから構成される。
【００２４】
図１において、符号１７は、回路の過負荷が発生すると、シフター機構１５の駆動力によりトリップ位置に反転するように駆動されるトリップ機構１７である。トリップ機構１７は、長い板スプリングと、前記長い板スプリングの長さの約１／２であり、一端部が前記長い板スプリングの一端部とともに固定される短い板スプリングと、前記長い板スプリングと前記短い板スプリングにそれぞれ両端部が支持されるコイルスプリングとから構成される。従って、トリップ機構１７は、予め決定された荷重以上の荷重が前記長い板スプリングと前記短い板スプリングに加えられると、図１に示すように、前記長い板スプリングの自由端部が水平面より下方から水平面より上方に上昇するように反転し、このとき、前記コイルスプリングが曲がる。トリップ機構１７に加えられる荷重がなくなると、前記コイルスプリングが曲がった状態から元の状態に戻って再び前記長い板スプリングの自由端部が水平面より下方に下降する。
【００２５】
図示してはいないが、前記反転するトリップ機構１７の一方側、詳しくは、前記長い板スプリングの自由端部には、トリップして回路を遮断する開閉機構が連動するように接続され、前記長い板スプリングの自由端部が水平面より上方に上昇した状態に反転すると、前記開閉機構がトリップ動作を行う。
【００２６】
図１において、本発明による熱動形過負荷トリップ装置は、解除レバー機構を備える。前記解除レバー機構は、一部分がシフター機構１５の駆動力を受けることができるようにシフター機構１５に接触する位置に回動可能に設置され、他部分がトリップ機構１７に接触するように設置され、回路の過負荷が発生すると、シフター機構１５の駆動力がある場合は、トリップ機構１７を加圧してトリップ位置に反転するように駆動し、シフター機構１５の駆動力がない場合は、トリップ機構１７を解除する。
【００２７】
図１において、本発明による熱動形過負荷トリップ装置は、調整レバー１９を備える。調整レバー１９は、前記解除レバー機構を回転可能に支持する部分を有し、回転により前記解除レバー機構が水平移動するように駆動できる。
【００２８】
前記解除レバー機構は、一端が調整レバー１９に回転可能に支持され、他端がトリップ機構１７に接触するように設けられる解除レバー１６と、一端が解除レバー１６に固定され、他端がシフター機構１５（詳しくは、シフター機構１５の回転レバー）に接触するように設けられる動力伝達板２１とから構成される。符号２２は、動力伝達板２１を解除レバー１６に固定するための固定機構であり、詳しくは、解除レバー１６に突出して備えられる突部と、前記突部に係止される固定板と、動力伝達板２１を前記固定板に固定する固定ネジとから構成される。
【００２９】
調整レバー１９は、下部に結合される回転軸（符号なし）を中心に時計方向又は反時計方向に回転する。また、調整レバー１９は、解除レバー１６を回転可能に支持する部分を備え、この部分は、上部から水平方向に延長する支持部１９ａと、支持部１９ａ上に別体として接続されるか、一体に備えられる回転軸部１９ａ−１とから構成される。
【００３０】
本発明による熱動形過負荷トリップ装置は、トリップ動作する回路の過負荷（過電流）の感知程度を設定及び調整するための構成であり、定格電流によるトリップ動作位置を回転操作で設定する。さらに、本発明による熱動形過負荷トリップ装置は、上部面に設定操作溝１８ｂが備えられ、下部にカム部１８ａが備えられる調整ノブ１８と、調整レバー１９を回動させることができるように調整レバー１９に接続され、調整ノブ１８の操作と関係なく独立してトリップ動作電流の感度を調整できる手段とを含む。
【００３１】
前記手段は、調整レバー１９に螺合されて調整レバー１９を回動できるように設置され、調整ノブ１８の操作と関係なく独立して調整レバー１９により前記解除レバー機構の回転角度を調整することにより、トリップ動作電流の感度を調整できる調整ネジ２０を含む。調整ネジ２０は、ネジ回しが接続される操作溝を有する頭部と、ネジ山が形成された胴部とを有するネジであり、前記頭部の反対側である前記胴部の端部は、調整ノブ１８のカム部１８ａに接触する。
【００３２】
従って、図２に示すような調整ノブ１８の設定操作溝１８ｂにネジ回しのような工具を接続して回転操作すると、その外周面の半径が変化するカム面を有するカム部１８ａに調整ネジ２０の前記胴部の端部が接触するので、カム部１８ａの前記カム面の半径変化に応じて調整ネジ２０が水平方向に変位する。すなわち、カム部１８ａの前記カム面の半径が小さい部位に調整ネジ２０が接触する場合、図１において、調整ネジ２０が左側に移動するので、調整レバー１９は、反時計方向に回転する。カム部１８ａの前記カム面の半径が大きい部位に調整ネジ２０が接触する場合、図１において、調整ネジ２０が右側に移動するので、調整レバー１９は、時計方向に回転する。調整レバー１９を反時計方向に回転させると、解除レバー１６を介して動力伝達板２１が反時計方向に回転してシフター機構１５から遠ざかるので、トリップ動作設定電流は大きくなり、トリップ動作感度は鈍感になる。調整レバー１９を時計方向に回転させると、解除レバー１６を介して動力伝達板２１も時計方向に回転してシフター機構１５に近づくので、トリップ動作設定電流は小さくなり、トリップ動作感度は敏感になる。
【００３３】
本発明による熱動形過負荷トリップ装置は、特徴的な構成として、調整ノブ１８の操作と関係なく独立してトリップ動作電流の感度を調整できる手段として調整ネジ２０を含む。例えば、調整ネジ２０をネジ回しで時計方向に回転させると、調整ネジ２０はその場で回転するだけであるが、調整ネジ２０と螺合された調整レバー１９の上部は調整ネジ２０のネジ山に沿って図１の右側に水平移動するので、調整レバー１９は、下部の回転軸（符号なし）を中心に時計方向に回転する。また、調整ネジ２０をネジ回しで反時計方向に回転させると、調整ネジ２０はその場で回転するだけであるが、調整ネジ２０と螺合された調整レバー１９の上部は調整ネジ２０のネジ山に沿って図１の左側に水平移動するので、調整レバー１９は、下部の回転軸（符号なし）を中心に反時計方向に回転する。調整レバー１９が反時計方向に回転すると、解除レバー１６を介して動力伝達板２１が反時計方向に回転してシフター機構１５から遠ざかるので、トリップ動作設定電流は大きくなり、トリップ動作感度は鈍感になる。調整レバー１９が時計方向に回転すると、解除レバー１６を介して動力伝達板２１も時計方向に回転してシフター機構１５に近づくので、トリップ動作設定電流は小さくなり、トリップ動作感度は敏感になる。従って、調整ノブ１８の操作に関係なく独立して調整ネジ２０によるトリップ動作電流の設定及び調整が可能になる。
【００３４】
一方、回路の過電流が通電してバイメタル１４が図１の右方向に湾曲すると、シフター機構１５の上部シフターは右側に移動し、下部シフターはその場で位置を維持するので、回転レバーは、時計方向に回転して動力伝達板２１の下部を加圧する。そうすると、動力伝達板２１が反時計方向に回転駆動されるので、動力伝達板２１の上部に接続された解除レバー１６が回転軸部１９ａ−１を中心に反時計方向に回転して解除レバー１６の端部がトリップ機構１７を加圧する。トリップ機構１７がトリップ動作開始回転角（Ｘ0）以上回転するように加圧された瞬間、トリップ機構１７が反転して長い板スプリングの自由端部が水平面より上方に移動するので、前記長い板スプリングの自由端部に接続される開閉機構（図示せず）がトリップ位置に動作して回路が遮断されることにより、回路及び負荷機器が過電流から保護される。
【００３５】
一方、本発明による熱動形過負荷トリップ装置のトリップ感度調整方法について添付した図３及び図４を参照して説明する。
【００３６】
図３は、本発明による熱動形過負荷トリップ装置のトリップ感度調整方法を示すフローチャートであり、図４は、本発明による熱動形過負荷トリップ装置において調整ノブの周囲に設置される目盛り部材を示す平面図である。
【００３７】
本発明による熱動形過負荷トリップ装置のトリップ感度調整方法（以下、調整方法という）は、調整ノブ１８の初期位置を設定する調整ノブ初期位置設定段階（ＳＴ１）と、前記熱動形過負荷トリップ装置を形成するために前記熱動形過負荷トリップ装置を構成する構成部品を組み立てる組み立て段階（ＳＴ２）と、組み立て段階（ＳＴ２）で組み立てられた前記熱動形過負荷トリップ装置に予め決定された時間の間予め決定された過電流を通電させる過電流通電段階（ＳＴ３）と、調整ノブ１８の初期設定位置を維持した状態で調整ネジ２０をトリップが発生するまで回転させる調整ネジ調整段階（ＳＴ４）とから構成される。
【００３８】
より詳しくは、調整ノブ初期位置設定段階（ＳＴ１）は、本発明による熱動形過負荷トリップ装置がトリップ動作をするトリップ動作電流による調整ノブ１８の初期設定位置（すなわち、初期回転角度）を予め決定した位置（角度）にする段階である。
【００３９】
組み立て段階（ＳＴ２）は、本発明による熱動形過負荷トリップ装置の構成部品であるバイメタル１４、シフター機構１５、トリップ機構１７、解除レバー機構１６、調整レバー１９、調整ノブ１８、及び調整ネジ２０を組み立てて本発明による熱動形過負荷トリップ装置の組立体を形成する段階である。
【００４０】
過電流通電段階（ＳＴ３）は、定格電流（５Ａ、１０Ａ、１５Ａなど）に対して予め決定された倍率の値を有する予め決定された過電流（トリップ動作電流）を、国際電気規格、電気安全規格などで規定された許容通電時間（例えば、２時間）の間本発明による熱動形過負荷トリップ装置に通電させる段階であり、すなわち、予め決定された値の試験電流を予め決定された許容通電時間の間通電させる段階である。
【００４１】
調整ネジ調整段階（ＳＴ４）は、調整ノブ１８が前記初期設定位置（初期回転角度）を維持した状態で、調整ネジ２０をトリップ感度調整のために回転操作して人為的にトリップを発生させる段階であり、トリップが発生した瞬間がトリップ感度調整が完了した状態である。
【００４２】
定格電流マーキング段階（ＳＴ５）は、本発明により、トリップ感度調整が完了した状態で、さらに調整ノブの周囲に定格電流をマーキングする段階であり、より詳しくは、定格電流マーキング段階（ＳＴ５）は、調整ノブ１８の周囲部分に定格電流を直接マーキングする段階を含む。
【００４３】
また、定格電流マーキング段階（ＳＴ５）は、他の実施形態として、図４に示すように、調整ノブ１８の周囲部分に目盛り部材１８ｃを設置し、設置された目盛り部材１８ｃ上に定格電流（５Ａ、１０Ａ、１５Ａ）をマーキングする段階を含む。
【図面の簡単な説明】
【００４４】
【図１】本発明による熱動形過負荷トリップ装置の構成を示す図である。
【図２】本発明による熱動形過負荷トリップ装置の調整カムとトリップ感度の範囲調整のための調整ネジとの関係を部分的に示す平面図である。
【図３】本発明による熱動形過負荷トリップ装置のトリップ感度調整方法を示すフローチャートである。
【図４】本発明による熱動形過負荷トリップ装置における調整ノブの周囲に設置される目盛り部材を示す平面図である。
【図５】従来の熱動形過負荷トリップ装置の構成を示す図である。
【図６】従来の熱動形過負荷トリップ装置の調整カムとトリップ感度調整範囲との関係を説明するための図である。
【符号の説明】
【００４５】
１４    バイメタル
１５    シフター機構
１６    解除レバー
１７    トリップ機構
１８    調整ノブ
１８ａ    カム部
１９    調整レバー
１９ａ    支持部
１９ａ−１    回転軸部
２０    調整ネジ
２１    動力伝達板
２２    固定機構
【図１】
2009043726.tif 000003
【図２】
2009043726.tif 000004
【図３】
2009043726.tif 000005
【図４】
2009043726.tif 000006
【図５】
2009043726.tif 000007
【図６】
2009043726.tif 000008